(57)【要約】      （修正有）【課題】コンセントに差し込んだ後、簡単に脱落せず、引き抜く時には簡単にコンセントから引き抜くことができる電源プラグを提供する。【解決手段】受けブロック１２１が設けられる収容室が形成されると共に、相対する両側に夫々、該収容室に連通するコード導入口１０２と開口が形成されるケース本体と、一端が前記収容室内に位置するように該開口に設置されるスライド部材２０と、前記ケース本体における収容室の両側に設置される２つの端子４０と、揺動可能に前記ケース本体に設置され、一端が前記２つの端子の間に位置する２つの栓刃５０と、前記２つの栓刃の間に位置すると共に、受けブロックとスライド部材における防止片２１との間に位置するように外周壁部が防止片に固定される円筒状の弾性部材３０と、前記収容室の両側にそれぞれ設置されると共に、夫々が栓刃に当接し、該栓刃の収容室内における一端を弾性部材へ向って付勢する２つの復位弾性プレート６０とを備えることを特徴とする。【選択図】図３
0003159035.tif 000002
【実用新案登録請求の範囲】
【請求項１】
組み合わされることにより、受けブロック（１２１）が設けられる収容室（１０１）を形成する上部ケース（１１）と下部ケース（１２）を有すると共に、相対する両側に夫々、該収容室（１０１）に連通するコード導入口（１０２）と開口（１０３）が形成されるケース本体（１０）と、
一端に前記開口（１０３）を通過不能な防止片（２１）が設けられ、該端が前記収容室（１０１）内に位置するように該開口（１０３）に設置されるスライド部材（２０）と、
前記ケース本体（１０）における収容室（１０１）の両側に設置される２つの端子（４０）と、
揺動可能に前記ケース本体（１０）に設置され、一端が該ケース本体（１０）の収容室（１０１）内における前記２つの端子（４０）の間に位置する２つの栓刃（５０）と、
前記２つの栓刃（５０）の間に位置すると共に、受けブロック（１２１）とスライド部材（２０）における防止片（２１）との間に位置するように外周壁部が防止片（２１）に固定される円筒状の弾性部材（３０）と、
前記ケース本体（１０）における収容室（１０１）の両側にそれぞれ設置されると共に、夫々が栓刃（５０）に当接し、該栓刃（５０）の収容室（１０１）内における一端を弾性部材（３０）へ向って付勢する２つの復位弾性プレート（６０）とを備えることを特徴とする電源プラグ。
【請求項２】
前記ケース本体（１０）における、開口（１０３）の両側に夫々栓刃溝（１０４）が形成され、
前記２つの栓刃（５０）は夫々、対応する栓刃溝（１０４）に設置されると共に、該各栓刃（５０）にはそれぞれ、栓刃溝（１０４）の縁に係合する少なくとも１つの位置決め溝（５１）が形成されることを特徴とする請求項１に記載の電源プラグ。
【請求項３】
前記収容室（１０１）内に２つのネジ座（１２２）が設けられると共に、該各ネジ座（１２２）にネジ（１２３）が螺合され、
前記２つの端子（４０）は夫々、前記ネジ（１２３）によってネジ座（１２２）に固定される固定プレート（４２）と、該固定プレート（４２）に連結する接触プレート（４１）とを有することを特徴とする請求項１又は２に記載の電源プラグ。
【請求項４】
前記ケース本体（１０）における上部ケース（１１）に係合穴（１１１）が形成され、
前記スライド部材（２０）の、収容室（１０１）内に位置する一端から係合プレート（２２）が延設されると共に、該スライド部材（２０）の、収容室（１０１）外に位置する他端から、上部ケース（１１）の外側に位置する解除プレート（２３）が延設され、該係合プレート（２２）には、スライド部材（２０）を収容室（１０１）内に移動させた時、上部ケース（１１）における係合穴（１１１）に係合可能な係合ブロック（２２１）が設けられ、該解除プレート（２３）には、係合ブロック（２２１）が係合穴（１１１）に係合された時、係合穴（１１１）の上方に位置する押圧ブロック（２３１）が設けられることを特徴とする請求項１乃至３の何れか一項に記載の電源プラグ。
【考案の詳細な説明】
【技術分野】
【０００１】
本考案は、特に電気機器のコードの端部に設けられる電源プラグに関するものである。
【背景技術】
【０００２】
電源プラグは通常、コンセントに差し込んだ時、電源プラグの栓刃がコンセント内の刃受けばねにより挟持されるので、電源コンセントから脱落しないが、新しいコンセントの場合には、刃受けばねの挟持力が強く、電源プラグを抜く時にかなりの力が必要となるので、力の弱い人には大変であった。一方、古いコンセントの場合には、刃受けばねの挟持力が弱くなっていることから、プラグが何かに接触したり、引っかかったりすると、コンセントから簡単に抜けてしまうことがあった。
【考案の概要】
【考案が解決しようとする課題】
【０００３】
上記従来の電源プラグの欠点に鑑み、ボルトにより電源プラグをコンセントに固定させる手段と、コンセントに設けられる、電源プラグの引き抜きを補助する手段が考案されたが、それらは共に、電源プラグを引き抜く時に、ボルトを緩めるのに時間がかかってしまうという欠点や、コンセントが古くなって刃受けばねの挟持力が弱くなっている場合には、当然のことながら、電源プラグの引き抜きが容易になるので、補助機構が無用なものとなってしまうという欠点があった。
【０００４】
そこで、案出されたのが本考案であって、コンセントに差し込んだ後、簡単に脱落しなく、引き抜く時も簡単にコンセントから引き抜ける電源プラグを提供することを目的としている。
【課題を解決するための手段】
【０００５】
本願の請求項１の考案は、組み合わされることにより、受けブロック（１２１）が設けられる収容室（１０１）を形成する上部ケース（１１）と下部ケース（１２）を有すると共に、相対する両側に夫々、該収容室（１０１）に連通するコード導入口（１０２）と開口（１０３）が形成されるケース本体（１０）と、
一端に前記開口（１０３）を通過不能な防止片（２１）が設けられ、該端が前記収容室（１０１）内に位置するように該開口（１０３）に設置されるスライド部材（２０）と、
前記ケース本体（１０）における収容室（１０１）の両側に設置される２つの端子（４０）と、
揺動可能に前記ケース本体（１０）に設置され、一端が該ケース本体（１０）の収容室（１０１）内における前記２つの端子（４０）の間に位置する２つの栓刃（５０）と、
前記２つの栓刃（５０）の間に位置すると共に、受けブロック（１２１）とスライド部材（２０）における防止片（２１）との間に位置するように外周壁部が防止片（２１）に固定される円筒状の弾性部材（３０）と、
前記ケース本体（１０）における収容室（１０１）の両側にそれぞれ設置されると共に、夫々が栓刃（５０）に当接し、該栓刃（５０）の収容室（１０１）内における一端を弾性部材（３０）へ向って付勢する２つの復位弾性プレート（６０）とを備えることを特徴とする電源プラグ、を提供する。
【０００６】
本願の請求項２の考案は、前記ケース本体（１０）における、開口（１０３）の両側に夫々栓刃溝（１０４）が形成され、
前記２つの栓刃（５０）は夫々、対応する栓刃溝（１０４）に設置されると共に、該各栓刃（５０）にはそれぞれ、栓刃溝（１０４）の縁に係合する少なくとも１つの位置決め溝（５１）が形成されることを特徴とする請求項１に記載の電源プラグ、を提供する。
【０００７】
本願の請求項３の考案は、前記収容室（１０１）内に２つのネジ座（１２２）が設けられると共に、該各ネジ座（１２２）にネジ（１２３）が螺合され、
前記２つの端子（４０）は夫々、前記ネジ（１２３）によってネジ座（１２２）に固定される固定プレート（４２）と、該固定プレート（４２）に連結する接触プレート（４１）とを有することを特徴とする請求項１又は２に記載の電源プラグ、を提供する。
【０００８】
本願の請求項４の考案は、前記ケース本体（１０）における上部ケース（１１）に係合穴（１１１）が形成され、
前記スライド部材（２０）の、収容室（１０１）内に位置する一端から係合プレート（２２）が延設されると共に、該スライド部材（２０）の、収容室（１０１）外に位置する他端から、上部ケース（１１）の外側に位置する解除プレート（２３）が延設され、該係合プレート（２２）には、スライド部材（２０）を収容室（１０１）内に移動させた時、上部ケース（１１）における係合穴（１１１）に係合可能な係合ブロック（２２１）が設けられ、該解除プレート（２３）には、係合ブロック（２２１）が係合穴（１１１）に係合された時、係合穴（１１１）の上方に位置する押圧ブロック（２３１）が設けられることを特徴とする請求項１乃至３の何れか一項に記載の電源プラグ、を提供する。
【考案の効果】
【０００９】
本考案は上記の課題を解決するものであり、コンセントに差し込むと、弾性部材が、受けブロックと、コンセントに当接してケース本体の収容室内に押入されるスライド部材とにより挟持されて両側壁部が突出するので、２つの栓刃における収容室内の一端が夫々、該突出した両側壁部に押されて端子に接触する。一方、２つの栓刃における収容室外の一端は、互いに内側方向へ移動してコンセントを挟持するので、刃受けばねの挟持力が弱くなっても、電源プラグがコンセントから脱落することはない。また、コンセントから電源プラグを抜く時は、弾性部材が元の形状に回復するための付勢力が受けブロックに加わり、ケース本体のコンセントからの離脱を補助するので、力の弱い人でも容易に電源プラグをコンセントから引き抜くことができる。
【図面の簡単な説明】
【００１０】
【図１】本考案に係る電源プラグの斜視図である。
【図２】本考案に係る電源プラグの分解斜視図である。
【図３】本考案に係る電源プラグの部分平面断面図である。
【図４】本考案に係る電源プラグがコンセントに差し込まれた状態を示す側面断面図である。
【図５】本考案に係る電源プラグがコンセントに差し込まれた状態を示す側面断面図である。
【図６】本考案に係る電源プラグがコンセントに差し込まれた状態を示す平面断面図である。
【図７】本考案における電源プラグの解除弾性プレートを押圧してプラグを引き抜く状態を示す側面断面図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る電源プラグの斜視図であり、図２は本考案に係る電源プラグの分解斜視図であり、図３は本考案に係る電源プラグの部分平面断面図であり、図４及び図５は本考案に係る電源プラグがコンセントに差し込まれた状態を示す側面断面図であり、図６は本考案に係る電源プラグがコンセントに差し込まれた状態を示す平面断面図であり、図７は本考案における電源プラグの解除弾性プレートを押圧してプラグを引き抜く状態を示す側面断面図である。
【００１３】
図１乃至図３に示すように、本考案に係る電源プラグは、ケース本体（１０）と、スライド部材（２０）と、２つの端子（４０）と、２つの栓刃（５０）と、弾性部材（３０）と、２つの復位弾性プレート（６０）とを有する。
【００１４】
前記ケース本体（１０）は、組み合わされることにより収容室（１０１）を形成する上部ケース（１１）と下部ケース（１２）とを有し、該上部ケース（１１）に係合穴（１１１）が形成され、該ケース本体（１０）の一側にコード導入口（１０２）が形成されると共に、反対する側に開口（１０３）が形成され、該開口（１０３）の両側にそれぞれ栓刃溝（１０４）が形成され、また、前記収容室（１０１）内に受けブロック（１２１）と、夫々ネジ（１２３）が螺合される２つのネジ座（１２２）とが設けられる。
尚、本実施例においては、前記受けブロック（１２１）が２つのネジ座（１２２）の間に配置されると共に、該受けブロック（１２１）と２つのネジ座（１２２）がコード導入口（１０２）に隣接するように下部ケース（１２）に設けられ、前記係合穴（１１１）、コード導入口（１０２）、開口（１０３）及び２つの栓刃溝（１０４）が収容室（１０１）に連通している。
【００１５】
図５に示すように、スライド部材（２０）は、一端が収容室（１０１）内に位置するように開口（１０３）に設置され、該スライド部材（２０）の、収容室（１０１）内に位置する一端から係合プレート（２２）が延設されると共に、スライド部材（２０）の、収容室（１０１）外に位置する一端から、上部ケース（１１）の外側に位置する解除プレート（２３）が延設され、また、該係合プレート（２２）には、スライド部材（２０）を収容室（１０１）内に移動させた時、上部ケース（１１）における係合穴（１１１）に係合可能な係合ブロック（２２１）が設けられると共に、該解除プレート（２３）には、係合ブロック（２２１）が係合穴（１１１）に係合された時、係合穴（１１１）の上方に位置する押圧ブロック（２３１）が設けられ、更に、該スライド部材（２０）がケース本体（１０）からの脱落を防止するために、スライド部材（２０）における、収容室（１０１）内に位置する一端に、開口（１０３）を通過不能な防止片（２１）が設けられる。
【００１６】
前記２つの端子（４０）は、ケース本体（１０）における収容室（１０１）の両側に設置され、前記ネジ（１２３）によってネジ座（１２２）に固定される固定プレート（４２）と、該固定プレート（４２）に連結する接触プレート（４１）とを有する。
また、前記２つの栓刃（５０）は、栓刃溝（１０４）の幅より小さく、一端が前記２つの端子（４０）の接触プレート（４１）の間に位置するように夫々、対応する栓刃溝（１０４）に設置されると共に、該各栓刃（５０）には、栓刃溝（１０４）の縁に係合する少なくとも１つの位置決め溝（５１）が形成され、これによって栓刃（５０）をケース本体（１０）から離脱しないようにケース本体（１０）に揺動可能に設置する。
【００１７】
前記弾性部材（３０）は円筒状であり、２つの栓刃（５０）との間に位置すると共に、受けブロック（１２１）とスライド部材（２０）における防止片（２１）との間に位置するように外周壁部が防止片（２１）に固定される。
また、前記２つの復位弾性プレート（６０）は、ケース本体（１０）における収容室（１０１）の両側に設置されると共に、夫々２つの栓刃（５０）に当接し、該栓刃（５０）の、収容室（１０１）内における一端を弾性部材（３０）方向へ付勢する。
【００１８】
本考案に係る電源プラグにコード（７０）を接続する時は、該コード（７０）の端部を、コード導入口（１０２）から収容室（１０１）に導き、ネジ（１２３）によって固定プレート（４２）に固定する。尚、電源プラグをコンセント（８０）に差し込んでいない状態では、前記２つの栓刃（５０）における、収容室（１０１）内に位置する一端は、接触プレート（４１）と接触していない。
【００１９】
図４乃至図６に示すように、本考案の電源プラグをコンセント（８０）に差し込むと、スライド部材（２０）がコンセント（８０）に当接してケース本体（１０）の収容室（１０１）内に押入されると共に、該スライド部材（２０）から延設される係合弾性プレートにおける係止ブロックが、上部ケース（１１）における係合穴（１１１）に係合されてスライド部材（２０）を収容室（１０１）内に位置決めさせ、この時、スライド部材（２０）の一端における防止片（２１）が、受けブロック（１２１）に近づいて受けブロック（１２１）と共に弾性部材（３０）を挟持するので、弾性部材（３０）は両側壁部が突出して楕円状となる。これにより、前記２つの栓刃（５０）における収容室（１０１）内の一端が、前記弾性部材（３０）の、突出した両側壁部によって押圧されて互いに遠ざかるように移動し、夫々が、対応する接触プレート（４１）と接触するので、コンセント（８０）からの電流が栓刃（５０）と端子（４０）を介してコード（７０）に供給される。一方、２つの栓刃（５０）における収容室（１０１）外の一端は、互いに近づくように移動してコンセント（８０）を挟持するので、刃受けばね（８１）の挟持力が弱くなっても、電源プラグがコンセントから脱落することはない。
【００２０】
また、図７に示すように、コンセント（８０）から電源プラグを抜く時には、先ず、解除プレート（２３）を押すことにより、押圧ブロック（２３１）で係合弾性プレートの自由端を押圧して係合ブロック（２２１）を係合穴（１１１）から離脱させ、そして電源プラグを抜くと、弾性部材（３０）が次第に元の形状に回復し、栓刃（５０）における収容室（１０１）内の一端に加わっていた付勢力がなくなることから、栓刃（５０）が復位弾性プレート（６０）の付勢力により復位するので、コンセント（８０）への挟持が解除される。また、前記弾性部材（３０）が元の形状に回復するための付勢力が受けブロック（１２１）に加わり、ケース本体（１０）のコンセント（８０）からの離脱を補助するので、力の弱い人でも楽に電源プラグをコンセント（８０）から引き抜くことができる。
【符号の説明】
【００２１】
１０        ケース本体
１０１      収容室
１０２      コード導入口
１０３      開口
１０４      栓刃溝
１１        上部ケース
１１１      係合穴
１２        下部ケース
１２１      受けブロック
１２２      ネジ座
１２３      ネジ
２０        スライド部材
２１        防止片
２２        係合プレート
２２１      係合ブロック
２３        解除プレート
２３１      押圧ブロック
３０        弾性部材
４０        端子
４１        接触プレート
４２        固定プレート
５０        栓刃
５１        位置決め溝
６０        復位弾性プレート
７０        コード
８０        コンセント
８１        刃受けばね
【図１】
0003159035.tif 000003
【図２】
0003159035.tif 000004
【図３】
0003159035.tif 000005
【図４】
0003159035.tif 000006
【図５】
0003159035.tif 000007
【図６】
0003159035.tif 000008
【図７】
0003159035.tif 000009